(57)【要約】【課題】情報通信端末の利用者が通信ネットワークを介してコンテンツを取得する際に利用者が在圏するローカルエリアに関連する情報やそのエリアで利用者が受けているサービスに関連した情報に簡易にアクセスすることができる新規な情報アクセスが可能になる、通信中継装置を提供する。【解決手段】通信中継装置３０は、情報通信端末１０から通信ネットワークを介して接続されたサーバへコンテンツを要求するリクエストと、サーバから情報通信端末１０へ送信されるコンテンツを含むレスポンスとを中継する中継手段と、サーバから情報通信端末１０へ送信されるレスポンスに含まれるコンテンツに付加する付加情報を記憶する情報記憶手段と、レスポンスを受信した情報通信端末１０からの取得要求に基づいて、付加情報を情報記憶手段から読み出し情報通信端末１０に送信する情報送信手段とを備える。【選択図】図１
2010136140.tif 000002
【特許請求の範囲】
【請求項１】
情報通信端末と通信ネットワークとの間の通信を中継する通信中継装置であって、
前記情報通信端末から通信ネットワークを介して接続されたサーバへコンテンツを要求するリクエストと、該サーバから該情報通信端末へ送信される前記コンテンツを含むレスポンスとを中継する中継手段と、
前記サーバから前記情報通信端末へ送信される前記レスポンスに含まれるコンテンツに付加する付加情報を記憶する情報記憶手段と、
前記レスポンスを受信した前記情報通信端末からの取得要求に基づいて、前記付加情報を前記情報記憶手段から読み出し前記情報通信端末に送信する情報送信手段と、を備えたことを特徴とする通信中継装置。
【請求項２】
請求項１の通信中継装置において、
前記サーバは、ポータルサイトのＷＥＢサーバであり、
前記レスポンスに含まれるコンテンツは、前記ポータルサイトのＷＥＢコンテンツであり、
前記情報送信手段は、前記ポータルサイトのＷＥＢコンテンツの一部分に追加表示される追加表示コンテンツとして前記付加情報を前記情報通信端末に送信することを特徴とする通信中継装置。
【請求項３】
請求項１又は２の通信中継装置において、
前記付加情報は、当該通信中継装置が設置されたローカルエリアに関連したローカルエリア関連情報及び該ローカルエリア関連情報を提供する情報提供サーバにアクセスするためのリンク情報の少なくとも一方であることを特徴とする通信中継装置。
【請求項４】
請求項３の通信中継装置において、
前記ローカルエリア関連情報は、当該通信中継装置が設置されたローカルエリアで提供されているサービスに関連したサービス関連情報であることを特徴とする通信中継装置。
【請求項５】
請求項１乃至４のいずれかの通信中継装置において、
前記付加情報を作成可能なコンピュータ装置との間の通信により、該コンピュータ装置に保存されている前記付加情報を受信して取得する付加情報取得手段を更に備えたことを特徴とする通信中継装置。
【請求項６】
請求項１又は２の通信中継装置において、
前記付加情報が保存されている情報提供サーバから通信ネットワークを介して、前記付加情報を受信して取得する付加情報取得手段を更に備えたことを特徴とする通信中継装置。
【請求項７】
請求項１乃至６のいずれかの通信中継装置において、
当該通信中継装置は、移動体通信ネットワークにおける広域通信エリアである通常の移動体通信のセルよりも狭い狭域通信エリアで前記情報通信端末と無線通信可能な小型の基地局であることを特徴とする通信中継装置。
【請求項８】
請求項１乃至６のいずれかの通信中継装置において、
当該通信中継装置は、ＬＡＮ（Local Area Network）の無線アクセスポイントとして使用され該ＬＡＮの通信を中継する無線ＬＡＮ中継装置であることを特徴とする通信中継装置。
【請求項９】
請求項１乃至６のいずれかの通信中継装置において、
当該通信中継装置は、前記情報通信端末と有線の公衆通信回線とを中継する通信回線接続装置であることを特徴とする通信中継装置。
【発明の詳細な説明】
【技術分野】
【０００１】
本発明は、情報通信端末と通信ネットワークとの間の通信を中継する通信中継装置に関するものである。
【背景技術】
【０００２】
従来、携帯可能な情報通信端末である携帯電話機を用いた情報アクセス方法として、Ｐｕｌｌ型の情報アクセス方法、Ｐｕｓｈ型の情報アクセス方法および位置ベースの情報アクセス方法が知られている。Ｐｕｌｌ型の情報アクセス方法は、利用者による携帯電話機の操作、例えば携帯電話機の入力画面で掲示板やＷＥＢページ等のＷＥＢサイトのＵＲＬを入力したり検索サイトでキーワードを入力して検索したりする操作により、通信ネットワーク上のサイトにアクセスして必要な情報を取得する方法である。また、Ｐｕｓｈ型の情報アクセス方法は、通信ネットワーク上のサーバや他の通信端末から配信されてくるメールマガジン等の配信情報に記載されているリンク先にアクセスして必要な情報を取得する方法である。また、位置ベースの情報アクセス方法は、携帯電話通信網側のサーバに所定のタイミングで登録される携帯電話機の位置登録情報や、携帯電話機に設けたＧＰＳ機能によって取得された位置情報に基づいて、携帯電話機の現在位置に関連した情報をメール等で配信する方法である。また、この位置ベースの情報アクセス方法としては、ＷＥＢページにアクセスするときに位置情報を携帯電話機からサーバに送信し、その位置情報に関連した周辺情報をサーバから携帯電話機に配信して表示する方法もある。
【発明の開示】
【発明が解決しようとする課題】
【０００３】
上記従来のＰｕｌｌ型の情報アクセス方法では、利用者が必要とする情報に正確にアクセスするにはある程度の専門能力が必要とされる。携帯電話機の場合は、入力キーなどがある操作部が小さいため、ＷＥＢサイトのＵＲＬを入力したり検索サイトでキーワードを入力して検索したりするときの操作が煩わしく不便である。
また、上記従来のＰｕｓｈ型の情報アクセス方法では、サーバから所定のタイミングで配信されてくる配信情報が必要とする情報ばかりとは限らない。すなわち、サーバからの配信情報と利用者が必要とする情報とのマッチング度合が悪い。また、あまりに頻繁に配信情報が送られてきても、それらの情報を閲覧できないばかりでなく不要な情報を削除するための手間もかかる。
また、上記従来の位置ベースの情報アクセス方法では、利用者の携帯電話機に配信される配信情報は、その携帯電話機の現在位置に関連した情報ではあるが、その利用者にとって、そのときに必ずしも必要な情報とは限らない。
【０００４】
本発明は以上の問題点に鑑みなされたものであり、その目的は、情報通信端末の利用者が通信ネットワークを介してコンテンツを取得する際に利用者が在圏するローカルエリアに関連する情報やそのエリアで利用者が受けているサービスに関連した情報に簡易にアクセスすることができる新規な情報アクセスが可能になる、通信中継装置を提供することである。
【課題を解決するための手段】
【０００５】
本発明に係る通信中継装置は、情報通信端末と通信ネットワークとの間の通信を中継する通信中継装置であって、前記情報通信端末から通信ネットワークを介して接続されたサーバへコンテンツを要求するリクエストと、該サーバから該情報通信端末へ送信される前記コンテンツを含むレスポンスとを中継する中継手段と、前記サーバから前記情報通信端末へ送信される前記レスポンスに含まれるコンテンツに付加する付加情報を記憶する情報記憶手段と、前記レスポンスを受信した前記情報通信端末からの取得要求に基づいて、前記付加情報を前記情報記憶手段から読み出し前記情報通信端末に送信する情報送信手段と、を備える。
また、前記通信中継装置において、前記サーバは、ポータルサイトのＷＥＢサーバであり、前記レスポンスに含まれるコンテンツは、前記ポータルサイトのＷＥＢコンテンツであり、前記情報送信手段は、前記ポータルサイトのＷＥＢコンテンツの一部分に追加表示される追加表示コンテンツとして前記付加情報を前記情報通信端末に送信するように構成してもよい。
また、前記通信中継装置において、前記付加情報は、当該通信中継装置が設置されたローカルエリアに関連したローカルエリア関連情報及び該ローカルエリア関連情報を提供する情報提供サーバにアクセスするためのリンク情報の少なくとも一方であってもよい。
また、前記通信中継装置において、前記ローカルエリア情報は、当該通信中継装置が設置されたローカルエリアで提供されているサービスに関連したサービス関連情報であってもよい。
また、前記通信中継装置において、前記付加情報を作成可能なコンピュータ装置との間の通信により、該コンピュータ装置に保存されている前記付加情報を受信して取得する付加情報取得手段を更に備えてもよい。
また、前記通信中継装置において、前記付加情報が保存されている情報提供サーバから通信ネットワークを介して、前記付加情報を受信して取得する付加情報取得手段を更に備えてもよい。
また、前記通信中継装置において、当該通信中継装置は、移動体通信ネットワークにおける広域通信エリアである通常の移動体通信のセルよりも狭い狭域通信エリアで前記情報通信端末と無線通信可能な小型の基地局であってもよい。
また、前記通信中継装置において、当該通信中継装置は、ＬＡＮ（Local Area Network）の無線アクセスポイントとして使用され該ＬＡＮの通信を中継する無線ＬＡＮ中継装置であってもよい。
また、前記通信中継装置において、当該通信中継装置は、前記情報通信端末と有線の公衆通信回線とを中継する通信回線接続装置であってもよい。
【発明の効果】
【０００６】
本発明によれば、情報通信端末の利用者が通信ネットワークを介してコンテンツを取得する際に利用者が在圏するローカルエリアに関連する情報やそのエリアで利用者が受けているサービスに関連した情報に簡易にアクセスすることができる新規な情報アクセスが可能になる。
【発明を実施するための最良の形態】
【０００７】
図１は、本発明の一実施形態に係る通信中継装置として小型基地局を用いた情報アクセスの概要を示す説明図である。この実施形態の例は、情報通信端末としての携帯電話機等の移動体通信端末であるユーザ端末装置（ＵＥ：User Equipment）１０の利用者１が、そのユーザ端末装置１０を持って店舗（飲食店）に入ったときの例である。この店舗の内部のエリアは、利用者１に飲食に関するサービスを提供するサービス提供エリア９２０となっている。店舗の内部のエリアには、ユーザ端末装置１０でＷＥＢコンテンツを閲覧したときに、そのＷＥＢコンテンツに追加表示される付加情報を作成・編集するためのコンピュータ装置２０が置かれ、店舗のスタッフ２が操作できるようになっている。上記付加情報としては、例えば当該店舗があるローカルエリアに関するローカルエリア関連情報、当該店舗で提供されているサービスに関するサービス関連情報などが挙げられる。
【０００８】
また、上記店舗の内部のエリアには、通信ネットワークの通信中継装置としての小型基地局３０が設置され、その小型基地局３０と店舗の中に存在しているユーザ端末装置１０とが所定の周波数及び通信形式で無線通信可能な無線通信可能エリア９３０にもなっている。この無線通信可能エリア９３０は、上記サービス提供エリア９２０と同程度の広さのエリアになっている。上記小型基地局３０は、移動体通信ネットワークにおいて屋外に設置されている通常の半径数百ｍ乃至数ｋｍ程度の広域エリアをカバーする広域の基地局とは異なり、無線通信可能距離が数十ｍ乃至数ｍ程度であり、一般家庭、店舗、オフィス等の屋内に設置することができる。この小型基地局３０は、移動体通信ネットワークにおける広域の基地局がカバーするセルよりも小さなフェムトセルをカバーするように設けられるため、「フェムト基地局」と呼ばれる場合もある。小型基地局３０は、アナログ回線、デジタル回線又は光ファイバー回線等の公衆回線あるいは専用回線により移動体通信ネットワーク７０に接続され、ＷＥＢサーバ６０や更にインターネット７１を介してＷＥＢサーバ５０等に接続可能に構成されている。
【０００９】
図２は、上記ローカルエリア関連情報やサービス関連情報をユーザ端末装置の利用者に提供することができる情報提供システムの一構成例を示すブロック図である。この情報提供システムは、上記コンピュータ装置２０と、上記通信中継装置としての小型基地局３０とを用いて構成される。
【００１０】
上記コンピュータ装置２０は、ＣＰＵ２０１と、ＲＡＭ２０２と、ＲＯＭ２０３と、ディスプレイコントローラ２０４と、ディスプレイ２０５と、キーコントローラ２０６と、キーボード２０７と、ハードディスクコントローラ２０８と、ハードディスク２０９と、ネットワークコントローラ２１０とを備えている。
【００１１】
上記ＣＰＵ２０１は、各種の演算や、ＲＡＭ２０２、ＲＯＭ２０３、ディスプレイコントローラ２０４、キーコントローラ２０６、ハードディスクコントローラ２０８及びネットワークコントローラ２１０に対するデータの入出力の少なくとも一方を行うことにより各部を制御する。上記ＲＡＭ２０２は、ＤＲＡＭ等のメモリモジュールから構成され、データを一時的に保持することができる。上記ＲＯＭ２０３は、マスクＲＯＭ等のメモリモジュールから構成され、電力の供給がなくても予め書き込まれたデータを記憶し続けることができる。ＲＯＭ２０３には、ＢＩＯＳプログラム等のプログラムが記憶されている。
【００１２】
上記ディスプレイコントローラ２０４は、ディスプレイの表示機能をコントロールするコントローラであり、周知のマイコンやＶＲＡＭ等から構成されている。上記ディスプレイ２０５は、多色表示可能なバックライト付き液晶ディスプレイである。同様のものであれば、液晶ディスプレイでなくてもよく、有機ＥＬディスプレイ等でもよい。
【００１３】
上記キーコントローラ２０６は、周知のマイコン類から構成されるコントローラであり、キーボード２０７や図示しないマウス等から得られる電気信号を処理して、処理した信号をＣＰＵ２０１に送る。上記キーボード２０７は、利用者が文字を入力する際に用いられるものであり、利用者によって押されたキーに対応する電気信号を出力するようになっている。
【００１４】
上記ハードディスクコントローラ２０８は、周知のマイコン類から構成されるコントローラであり、ハードディスク２０９に対するデータの読み書き等を制御する。上記ハードディスク２０９は、広く知られた磁気記憶装置であり、電源の供給がなくてもデータを記憶し続けることができる。ハードディスク２０９には、ＣＰＵ２０１で実行するためのオペレーションシステムが記憶されている。
【００１５】
上記ネットワークコントローラ２１０は、外部の他の装置と通信を行うためのコントローラであり、例えばＵＳＢ（Universal Serial Bus）、Ｅｔｈｅｒｎｅｔ（登録商標）等の有線回線や、Ｂｌｕｅｔｏｏｔｈ、Ｗｉ−Ｆｉ、ＷｉＭＡＸ、赤外線等の無線回線等の通信回線を介して、小型基地局３０とデータの送受信を行うことができる。ここで、上記「Ｗｉ−Ｆｉ」及び「ＷｉＭＡＸ」はそれぞれ、ＩＥＥＥ(米国電気電子学会)の規格「IEEE 802.11」及び「IEEE 802.16」で策定された無線ＬＡＮ（Local Area Network）の標準規格である。
【００１６】
上記小型基地局３０は、例えば、ＣＰＵ、半導体メモリ等の内部記憶装置、通信処理装置、アンテナ等のハードウェアで構成され、内部記憶装置に記憶されている所定のプログラムを読み出しＣＰＵで実行することにより、次の各部の機能を実現することができる。この小型基地局３０は、ＣＰＵ３０１と、ＲＡＭ３０２と、ＲＯＭ３０３と、近距離無線ユニット３０４と、フラッシュメモリ３０５と、ネットワークコントローラ３０６と、網側通信ユニット３０７とを備える。
【００１７】
上記ＣＰＵ３０１は、ＲＡＭ３０２、ＲＯＭ３０３、近距離無線ユニット３０４、フラッシュメモリ３０５、ネットワークコントローラ３０６及び網側通信ユニット３０７に対するデータの入出力の少なくとも一方を行うことにより各部を制御する。
【００１８】
上記ＲＡＭ３０２は、ＤＲＡＭ等のメモリモジュールから構成され、データを一時的に保持することができる。上記ＲＯＭ３０３は、マスクＲＯＭ等のメモリモジュールから構成され、電力の供給がなくても予め書き込まれたデータを記憶し続けることができる。ＲＯＭ３０３には、ＢＩＯＳプログラム等のプログラムが記憶されている。
【００１９】
上記近距離無線ユニット３０４は、所定の周波数及び通信方式の無線通信によりユーザ端末装置１０と通信することができる。ユーザ端末装置１０は、この無線通信により、移動体通信ネットワーク７０側とデータ通信等を行うことができる。
【００２０】
上記フラッシュメモリ３０５は、データの消去・書き込みを自由に行なうことができ、電源を切っても内容が消えない半導体メモリである。このフラッシュメモリ３０５は、ユーザ端末装置１０と移動体通信ネットワーク７０側との間の通信を中継するための各種情報や、店舗内においてユーザ端末装置１０で閲覧されたＷＥＢコンテンツに付加される店舗のローカルエリア関連情報やサービス関連情報等の付加情報を記憶する情報記憶手段としても用いられる。
【００２１】
上記ネットワークコントローラ３０６は、外部の他の装置と通信を行うためのコントローラであり、例えばＵＳＢ（Universal Serial Bus）、Ｅｔｈｅｒｎｅｔ（登録商標）等の有線回線や、Ｂｌｕｅｔｏｏｔｈ、Ｗｉ−Ｆｉ、ＷｉＭＡＸ、赤外線等の無線回線等の通信回線を介して、コンピュータ装置２０とデータの送受信を行うことができる。
【００２２】
上記網側通信ユニット３０７は、光ファイバ、電話通信メタルケーブル、Ｅｔｈｅｒｎｅｔ（登録商標）ケーブル等の通信回線を介して、移動体通信ネットワーク７０のコアネットワークを構成する交換器等と通信する通信処理を実行する。この網側通信ユニット３０７により、移動体通信ネットワーク７０上のＷＥＢサーバ６０等の各種サーバやノードと通信することもできる。
【００２３】
なお、本実施形態ではユーザ端末装置（移動体通信端末）１０による移動体通信を中継する小型基地局３０を設けているが、ＷｉＦｉ等の無線ＬＡＮ中継装置、ＰＨＳ（Personal Handyphone System）用の無線基地局、ＺｉｇＢｅｅ（登録商標）用無線装置、Ｂｌｕｅｔｏｏｔｈ（登録商標）用無線装置、又はＩｒＤＡ（赤外線通信）用無線装置などの通信中継装置を用いることもできる。これらの通信中継装置は、外部の通信ネットワーク７０との通信を中継するように構成され、無線ＬＡＮ機能、ＰＨＳ通信機能、ＺｉｇＢｅｅ（登録商標）通信機能、Ｂｌｕｅｔｏｏｔｈ（登録商標）通信機能、又はＩｒＤＡ通信機能を備え、コンピュータ装置や携帯端末装置等のユーザ端末装置１０と組み合わせて用いられる。
【００２４】
図３は、上記小型基地局３０の機能ブロック図である。小型基地局３０は、ユーザ端末装置１０と無線通信を行うための無線通信機能部と、所定の通信回線を介して移動体通信ネットワークに接続するための通信回線接続機能部と、ＷＥＢサイトにアクセスするためのＷＥＢ通信機能部と、各種プログラムを実行するプラットフォーム機能部とを有している。
【００２５】
上記無線通信機能部は、基地局機能部（Ｎｏｄｅ−Ｂ）３１０と、無線ネットワーク制御部（ＲＮＣ：Radio Network Controller）３１１と、アプリケーションサーバ接続部３１２と、パケット交換機としてのＳＧＳＮ３１３及びＧＧＳＮ３１４とから構成されている。
上記基地局機能部３１０は、複数のユーザ端末装置１０との間で、所定周波数及び変調方式等による無線通信を行う。例えば、基地局機能部３１０は、ユーザ端末装置１０から受信したデータを復調して無線ネットワーク制御部３１１に入力し、無線ネットワーク制御部３１１から取得したデータを変調してユーザ端末装置１０に送信する。
上記無線ネットワーク制御部３１１は、上記基地局機能部３１０による無線通信を制御し、基地局機能部３１０と、パケット網を構成するアプリケーションサーバ接続部３１２及びパケット交換機との間の通信を中継する無線制御装置である。
上記アプリケーションサーバ接続部３１２は、例えばＳＩＰ／ＣＳ（Session Initiation Protocol/Communication Server）３１２であり、アプリケーション層で２つ以上の相手に対して音声や映像、テキストメッセージの交換などを行うために必要なセッションの生成・変更・切断を行うプロトコルを実装した交換機である。
上記ＳＧＳＮ（Serving GPRS Support Node）３１３は、上記無線ネットワーク制御部３１１とパケット交換網との間のゲートウェイ機能と、ユーザ端末装置１０の位置管理、セキュリティ管理及びアクセス制御を行う機能とを有している。
上記ＧＧＳＮ（Gateway GPRS Support Node）３１４は、パケット交換網と、移動体通信ネットワーク７０との間のゲートウェイ機能を有している。
【００２６】
上記通信回線接続機能部は、アドレス変換部３１５と、通信回線接続処理部３１６とから構成されている。
上記アドレス変換部３１５は、例えばＮＡＴ（Network Address Translation）で構成され、外部の通信ネットワークで使用される１つのグローバルなＩＰアドレスを、プライベートネットワーク等の他のネットーワークにおける複数のコンピュータ装置等の通信機器で共有するための処理を行う。
上記通信回線接続処理部３１６は、例えばＧ．９９２．ｘというＡＤＳＬ規格に準拠してアナログ電話回線を使って高速データ通信を行うＡＤＳＬモデム装置で構成される。このＧ．９９２．ｘは、国際電気通信連合（ＩＴＵ−ＴＳ）によって標準化されたＡＤＳＬ規格であって、フルレートＡＤＳＬと呼ばれるＧ．９９２．１（G.dmt）や、ハーフレートＡＤＳＬと呼ばれるＧ．９９２．２（G.Lite）がある。また、Ｇ．９９２（G.dmt/G.Lite）に、世界の各地域の通信事情を考慮した規定を加えた付帯規格として、日本向けのＧ．９９２ＡｎｎｅｘＣや、北米向けのＧ．９９２ＡｎｎｅｘＡ、ヨーロッパ向けのＧ．９９２ＡｎｎｅｘＢがある。
なお、上記ＡＤＳＬモデム装置は、移動体通信ネットワーク７０に接続する通信回線がアナログ電話回線の場合に用いるものであるが、通信回線の種類によって適宜変更することができる。例えば、移動体通信ネットワーク７０の通信回線がデジタル電話回線の場合には、上記通信回線接続処理部３１６としてターミナルアダプタ機能付きルータ装置を用いることができる。また、通信回線が光ファイバー回線の場合には、光回線接続機能付きルータ装置を用いることができる。
【００２７】
上記ＷＥＢ通信機能部は、ＩＰ通信部３１７と、ＴＣＰ／ＵＤＰ通信部３１８と、ＩＰｓｅｃ通信部３１９と、ＨＴＴＰ通信部３２０とから構成されている。
上記ＩＰ通信部３１７は、ＯＳＩ（Open Systems Interconnection）基本参照モデルのネットワーク層においてＩＰ（Internet Protocol）による通信を行う。ＩＰは、ネットワークに参加している機器の住所付け(アドレッシング)や、相互に接続された複数のネットワーク内での通信経路の選定(ルーティング)をするための方法を定義している。また、ＩＰはコネクションレス型のプロトコルであるため、上位層のＴＣＰ又はＵＤＰと併用される。
上記ＴＣＰ／ＵＤＰ通信部３１８は、インターネットで利用される標準プロトコルで、ＯＳＩ参照モデルのトランスポート層ににおいてＴＣＰ（Transmission Control Protocol）／ＵＤＰ（User Datagram Protocol）による通信を行い、ネットワーク層のＩＰ通信部３１７と、セッション層以上のプロトコル（ＨＴＴＰ、ＦＴＰ、ＳＭＴＰ、ＰＯＰなど）による通信部との橋渡しをする。
上記ＩＰｓｅｃ通信部３１９は、インターネットで暗号通信を行なうための規格であるＩＰｓｅｃ（Security Architecture for Internet Protocol）により、ＩＰパケットを暗号化して送受信する。
上記ＨＴＴＰ通信部３２０は、ＷＥＢサーバとクライアント(ＷＥＢブラウザなど)がデータを送受信するのに使われるプロトコルであるＨＴＴＰ（HyperText Transfer Protocol）による通信を行う。このＨＴＴＰ通信部３２０は、ＨＴＭＬ文書や、文書に関連付けられている画像、音声、動画などのファイルを、表現形式などの情報を含めてやり取りすることができる。
【００２８】
上記プラットフォーム機能部は、ＷＥＢサービス提供部３２１と、ＡＰＩ部３２２と、サービスプラットフォーム部３２３と、アプリケーション仮想実行環境部３２４とから構成されている。
上記ＷＥＢサービス提供部３２１は、例えばユーザ端末装置１０からの取得要求に応じて付加情報を送信する情報送信手段としてのＨＴＴＰＤ（HyperText Transfer Protocol Daemon）で構成され、ユーザ端末装置１０からの要求に応じてコンテンツを送信したり、ＣＧＩスクリプトを起動したりする。特に、本実施形態のＷＥＢサービス提供部３２１は、中継対象のＷＥＢコンテンツに情報を付加する付加情報をユーザ短ＡＭ津装置１０に送信する情報送信手段としての機能を備えている。このＷＥＢサービス提供部３２１は、例えば、ユーザ端末装置１０が外部のポータルサイトのＷＥＢサーバ６０にアクセスしたときに、そのポータルサイトのＷＥＢページに追加表示される、ユーザ端末装置１０が位置している店舗のローカルエリア関連情報やサービス関連情報等の付加情報をユーザ端末装置１０に送信する。
上記ＡＰＩ（Application Program Interface）部３２２は、小型基地局３０で実行されるアプリケーションのソフトウェアが共通して利用する機能を、ＯＳやミドルウェアなどの形でまとめて提供するものである。
上記サービスプラットフォーム部３２３は、所定のフレームワーク上で特定のサービスを提供するためのプラットフォームを構築する。このサービスプラットフォーム部３２３は、例えば、ＯＳＧｉ（Open Service Gateway initiative）の標準化団体で策定された仕様に準拠した、ネットワークを介して遠隔から機器の機能を追加したり修正したりするサービスプラットフォームで構成される。ＯＳＧのサービスプラットフォームは、Ｊａｖａ（登録商標）言語に基づくＳＯＡ（Service Oriented Architecture）ベースのサービスプラットフォームである。
上記アプリケーション仮想実行環境部３２４は、アプリケーションプログラムを実行するための実行環境を構築する。このアプリケーション仮想実行環境部３２４は、例えばＪａｖａ（登録商標）言語で作られたアプリケーションプログラムを実行するための仮想的な実行環境であるＪａｖａ  ＶＭ（Java Virtual Machine）を構築するように構成される。Ｊａｖａ言語のソースファイルはＪａｖａコンパイラによってバイトコードと呼ばれる、Ｊａｖａ  ＶＭで直接実行可能な命令に変換され、Ｊａｖａ  ＶＭによって実行される。
【００２９】
図４はユーザ端末装置１０の一構成例を示す外観図であり、図５は、そのユーザ端末装置１０のハードウェア構成の一例を示す概略構成図である。ユーザ端末装置１０は、システムバス１００、プロセッサとしてのＣＰＵ１０１、ＲＡＭ１０２やＲＯＭ１０３等の記憶装置、入力装置１０４、出力装置１０５、通信ネットワーク側と無線通信する無線通信装置１０６を備えている。ＣＰＵ１０１やＲＡＭ１０２等の構成要素は、システムバス１００を介して、互いに各種データやプログラムの命令等のやり取りを行っている。
【００３０】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザー、メーラー、音楽再生、動画表示、外部装置とのデータ送受信、アドレス帳管理、スケジューラ、メモ帳等がある。このＷＥＢブラウザー、メーラー、音楽再生、動画表示等のアプリケーションを起動し、そのアプリケーション上で各種メッセージ（メール）の送受信を行ったり、受信したメッセージに含まれるテキストや画像（静止画、動画）コンテンツや音声や音楽等のオーディオコンテンツを出力したり、受信した情報を出力したりすることができる。
【００３１】
上記入力装置１０４は、データ入力キー（テンキー、＊キー、＃キー）１１、通話開始キー１２、終話キー１３、スクロールキー１４、多機能キー１５、マイク１６、ＷＥＢアクセスキー１９等から構成されている。この入力装置１０４のテンキー１１、通話開始キー１２、終話キー１３等により、利用者が操作可能な操作部が構成される。この操作部を操作することにより、利用者は、各種メッセージを送受信したり、メッセージに添付されている画像ファイルを展開して表示したり、音楽ファイルを展開して再生したり、受信した情報を出力したり、アプリケーションプログラムを選択して実行したりすることができる。また、利用者は上記操作部を操作することにより、情報取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、通信ネットワーク上のサーバから画像ファイル、音楽ファイル、アプリケーションプログラム等のコンテンツをダウンロードして登録することができる。
【００３２】
上記出力装置１０５は、表示手段である液晶ディスプレイ（ＬＣＤ）等からなる表示部１７、音出力手段であるスピーカー等からなる音出力部１８、図示しない振動デバイス等から構成されている。上記表示部１７や音出力部１８等からなる出力装置で構成されている出力部は、通信ネットワーク側から各種メッセージ及び情報やその着信通知を受信した旨を利用者に知らせたり、各種テキストや画像（静止画、動画）を表示部１７に表示したり、各種音声や音楽を音出力部１８から出力したりするときに用いられる。上記受信した情報、メッセージ及びそれらの着信通知の受信を利用者に知らせるときは、表示部１７に着信報知画像を表示したり、音出力部１８から着信音を出力させたりする。
また、上記出力装置１０５は、移動体通信ネットワーク７０を介して受信した情報やＷＥＢページのコンテンツを表示部１７に表示したり、移動体通信ネットワーク７０から情報等を着信した旨を利用者に知らせたりするときにも用いられる。また、上記出力装置１０５は、ゲーム等のアプリケーションプログラムの実行中に、そのプログラム実行に関連した画像の表示や音の出力に用いたり、ＷＥＢサーバ５０、６０から受信した情報を表示したりするときにも用いられる。
なお、上記音出力部１８は、通話中の音声を聞くための受話器用スピーカー（レシーバ）と、着信音や音楽などを出力する外部出力用スピーカーとを別々に設けて構成してもいいし、これらの受話器用スピーカー及び外部出力用スピーカーを兼用するように一つのスピーカーで構成してもよい。
【００３３】
上記出力装置１０５を構成する振動デバイスは、マナーモード（サイレントモード）設定時などに音声電話を着信したりメッセージや各種情報を受信したりしたときに、ユーザ端末装置１０の全体を振動させ、その着信等を利用者に知らせるように制御することができる。
【００３４】
上記無線通信装置１０６は、変復調器、シンセサイザ、周波数変換器，高周波増幅器などにより構成され、上記小型基地局３０等の各種基地局と所定の周波数及び通信方式で無線通信を行い、移動体通信ネットワーク７０を介して他のユーザ端末装置や各種サーバ等と通信するときに用いられる。この無線通信装置１０６は、移動体通信ネットワーク７０を介して他のユーザ端末装置とＭＭＳメッセージのやり取りを行ったり、移動体通信ネットワーク７０からゲートウェイサーバを介して、インターネット等の外部の通信ネットワークに接続し、インターネット上の通信端末との各種メッセージのやり取り等を行ったりするための通信手段としても用いられる。更に、この無線通信装置１０６は、移動体通信ネットワーク７０を介して、ダウンロードサーバが提供するアプリケーションプログラムをダウンロードしたり、現在位置の位置情報を含む情報を受信したりする情報受信手段としても用いられる。
【００３５】
なお、上記ユーザ端末装置１０から上記小型基地局３０にアクセスして情報を取得してディスプレイに表示するときのアプリケーションとしては、いわゆる「Ａｊａｘ」（Asynchronous JavaScript（登録商標） + XML）と呼ばれるＷＥＢブラウザのアプリケーション技術を用いてもよい。この「Ａｊａｘ」というアプリケーション技術では、XMLHttpRequest（ＨＴＴＰ通信を行うためのJavaScriptの組み込みクラス）による非同期通信を利用し、通信結果に応じてダイナミックＨＴＭＬで動的にＷＥＢページの一部を書き換えることができる。この「Ａｊａｘ」は、ユーザ端末装置１０からＷＥＢサーバ５０、６０にアクセスして情報を取得表示する場合にも用いることができる。
【００３６】
また、上記ユーザ端末装置１０は、利用者が通信ネットワーク上のサーバからアプリケーションのプログラムをダウンロードして登録し、その登録済みのアプリケーションをユーザが任意に選択して実行可能に構成してもよい。この利用者が選択実行可能なアプリケーションとして、後述の店舗のサービス関連情報を受信して表示するための情報受信用のアプリケーションを登録しておいてもよい。この情報受信用のアプリケーションは、上記ユーザがダウンロードして登録したアプリケーションのほか、ユーザ端末装置１０のネイティブ領域に予めインストールされているアプリケーションであってもよい。
【００３７】
なお、上記ユーザ端末装置１０は、携帯電話機に限らず、ＰＤＡ（Personal Digital Assistants）や、ノート型もしくはデスクトップ型のパソコンでもよい。
【００３８】
上記構成のユーザ端末装置１０の利用者１が店舗に入り、その店舗のサービス関連情報を取得するときは、ユーザ端末装置１０を例えば次のように操作する。まず、利用者１がユーザ端末装置１０のＷＥＢアクセスキー１９を押下すると、ユーザ端末装置１０はインターネットに接続され、表示部１７には、例えば図６に示すようなポータルサイトのＷＥＢページが表示される。このポータルサイトのＷＥＢページの破線で示す部分には、利用者１が入った店舗のサービス関連情報にアクセスするためのリンク情報及び店舗のロゴからなる付加情報が自動的に追加表示される。図示の例では、「お店の情報はこちら」と表記されたリンク情報１７ａと店舗のロゴ１７ｂが追加表示されている。この図６のポータルサイトのＷＥＢページにおいて、利用者１が「お店の情報はこちら」１７ａを選択すると、例えば図７に示すように、その店舗のサービス関連情報、例えば、明日の定食のメニュー、画像及び割引情報等が表示される。また、図示しないが、他のサービス関連情報としては、お店で提供する料理のメニューや価格、お店の特徴やオーナーのプロフィール情報、等が挙げられる。図７に示すように、サービス関連情報の画面には、例えば明日の定食の割引チケットをダウンロードするための「ＧＥＴ」ボタン１７ｃ等を表示してもよい。
【００３９】
図８は、店舗（飲食店）に入った利用者１のユーザ端末装置１０に、その店舗で提供されるサービスに関連したサービス関連情報を取得するためのリンク情報を提供する処理手順の一例を示すシーケンス図である。なお、図中のかっこ内の数字は処理手順のステップの順番を示している（以下のシーケンス図でも同様。）。この例では、上記構成のコンピュータ装置２０及び小型基地局３０が店舗内に設けられ、その店舗内に入った利用者１が位置する可能性のあるエリアが、店舗のサービス提供エリア９２０及び小型基地局３０による無線通信可能エリア９３０になっている。
【００４０】
まず、店舗のスタッフ２があらかじめコンピュータ装置２０で店舗のサービス関連情報を作成又は編集し（ステップ１）、作成又は編集した店舗のサービス関連情報を小型基地局３０に送信しておく（ステップ２）。小型基地局３０で受信されたサービスエリア関連情報は、小型基地局３０のＨＴＴＰＤで管理されるデータ記憶部３０３における所定アドレス（ＵＲＬ）に保存され、ユーザ端末装置１０から取得可能になっている（ステップ３）。
【００４１】
次に、利用者１がユーザ端末装置１０を持って店舗に入ると、ユーザ端末装置１０が小型基地局３０の無線通信可能エリア９３０に在圏したことを検知し（ステップ４）、ユーザ端末装置１０の位置情報を小型基地局３０に送信し位置登録を行う（ステップ５）。そして、利用者１が店舗内でユーザ端末装置１０のＷＥＢアクセスキー１９を押下すると、ユーザ端末装置１０は、ＷＥＢブラウザのアプリケーションを起動し、小型基地局３０を介して所定のポータルサイトのＷＥＢサーバ６０にアクセスし、ポータルサイトのＷＥＢページを表示するためのＨＴＭＬファイルを受信する（ステップ６，７）。このＨＴＭＬファイルには、例えば前述の図９（ａ）の点線部分３３０に示すように、ポータルサイトのＷＥＢページに所定のリンク情報を含む追加表示コンテンツを追加表示するための所定の記述が含まれている。本例では、上記追加表示コンテンツとしてのＪａｖａＳｃｒｉｐｔ（登録商標）ファイルが保存されている小型基地局３０のＨＴＴＰＤの所定アドレス（ＵＲＬ）と、そのＪａｖａＳｃｒｉｐｔファイルのファイル名（図示の例では、「Ｆｅｍｔｏ．ｊｓ」）とが記述されている。
【００４２】
上記ＨＴＭＬファイルを受信したユーザ端末装置１０は、そのＨＴＭＬファイルの記述に基づいて、小型基地局３０のＨＴＴＰＤの所定アドレス（ＵＲＬ）にアクセスし追加表示コンテンツを取得する（ステップ８，９）。例えば、ユーザ端末装置１０は、上記追加表示コンテンツとして、図９（ｂ）に示すような記述を含むＪａｖａＳｃｒｉｐｔファイルを受信する。このＪａｖａＳｃｒｉｐｔファイルには、当該飲食店に関係するローカルエリア関連情報を取得するためのリンク情報がアンカータグ３３１で記述されている。ユーザ端末装置１０は、上記ＨＴＭＬファイル及びＪａｖａＳｃｒｉｐｔファイルに基づいて、上記ローカルエリア関連情報を取得するためのリンク情報が設定された追加表示コンテンツが所定の位置に挿入されたポータルサイトのＷＥＢページを、表示部１７に表示する（ステップ１０）。例えば、前述の図６の例では、ポータルサイトのＷＥＢページの破線で囲った部分に、その飲食店のローカルエリア関連情報を取得するためのリンク情報が設定された、「お店の情報はこちら」１７ａの追加表示コンテンツが追加表示されている。
【００４３】
上記図６の画面において、利用者１が「お店の情報はこちら」１７ａを選択すると（ステップ１１）、ユーザ端末装置１０は、上記ＪａｖａＳｃｒｉｐｔファイルのアンカータグ３３１に記述されている小型基地局３０の所定ＵＲＬにアクセスし、図７に示すような飲食店のサービス関連情報、例えば、明日の定食のメニュー画像及び割引情報等の店舗の広告情報を取得し、表示部１７に表示する（ステップ１２〜１４）。なお、利用者１が店舗のサービス関連情報を知りたくない場合には、上記ステップ１１で上記リンク情報の選択をしなければよいので、表示部１７に店舗のサービス関連情報を表示するか否かは利用者１の判断に委ねられる。
【００４４】
なお、上記図８及び図９の例では、利用者１がリンク情報を選択したときに、店舗のサービス関連情報を小型基地局３０から取得しているが外部のＷＥＢサーバ５０から取得するようにしてもよい。この場合は、上記ＪａｖａＳｃｒｉｐｔファイルに記述するＵＲＬ情報として、上記店舗のサービス関連情報が保存されている外部のＷＥＢサーバ５０内の所定の保存先のＵＲＬが記述される。
【００４５】
図１０は、店舗のサービス関連情報をＷＥＢサーバ５０から取得するときの処理手順の一例を示すシーケンス図である。まず、店舗のスタッフ２があらかじめコンピュータ装置２０で店舗のサービス関連情報（詳細情報）にアクセスするためのリンク情報を作成し（ステップ１）、作成した店舗のリンク情報を小型基地局３０に送信しておく（ステップ２）。小型基地局３０で受信されたリンク状右方は、小型基地局３０のＨＴＴＰＤで管理されるデータ記憶部３０３における所定アドレス（ＵＲＬ）に保存され、ユーザ端末装置１０から取得可能になっている（ステップ３）。なお、図１０中のステップ４〜１０については前述の図８の場合と同様であるので、説明を省略する。前述の図６の画面において、利用者１が「お店の情報はこちら」１７ａを選択すると（ステップ１１）、ユーザ端末装置１０は、上記ＪａｖａＳｃｒｉｐｔファイルのアンカータグに記述されているＷＥＢサーバ５０の所定ＵＲＬにアクセスし、前述の図７に示すような飲食店のローカルエリア関連情報、例えば、明日の定食のメニュー画像及び割引情報等の店舗の広告情報を取得し、表示部１７に表示する（ステップ１２〜１４）。
【００４６】
なお、ユーザ端末装置１０のＷＥＢアクセスキー１９を押下して所定のＷＥＢサイト（ぽーｔるサイト）にアクセスしたときに、そのＷＥＢページに「お店の情報はこちら」１７ａといったリンク情報の表示は省略し、ポータルサイトのＷＥＢページに直接そのお店のサービス関連情報を表示させるようにしてもよい。
【００４７】
図１１は、ＷＥＢポータルサイトのＷＥＢページにアクセスにしたとき、そのＷＥＢページに店舗のサービス関連情報を直接追加表示するときの処理手順の一例を示すシーケンス図である。ステップ１からステップ７までの処理手順は上記図８の場合と同じなので、説明は省略する。上記ＨＴＭＬファイルを受信したユーザ端末装置１０は、そのＨＴＭＬファイルの記述に基づいて、小型基地局３０のＨＴＴＰＤの所定アドレス（ＵＲＬ）にアクセスし追加表示コンテンツとしてサービス関連情報を取得する（ステップ８，９）。ユーザ端末装置１０は、上記ＨＴＭＬファイル及びサービス関連情報に基づいて、サービス関連情報が所定の位置に挿入されたポータルサイトのＷＥＢページを、表示部１７に表示する（ステップ１０）。
このように、所定のＷＥＢサイトにアクセスすると、自動的に表示部１７に店舗のサービス関連情報が表示されるので、店舗のサービス関連情報のリンク情報を選択する操作を省略できる。
【００４８】
また、ユーザ端末装置１０から店舗に設置されているコンピュータ装置２０にアクセスすることにより、店舗のサービス関連情報（詳細情報）をコンピュータ装置２０から取得するようにしてもよい。
【００４９】
図１２は、店舗のサービス関連情報をコンピュータ装置２０から取得する場合の処理手順の一例を示すシーケンス図である。この場合、コンピュータ装置２０には、予めＷＥＢサーバ機能（ＨＴＴＰＤ機能）が組み込まれている。店舗のスタッフ２があらかじめコンピュータ装置２０で店舗のサービス関連情報を作成又は編集し（ステップ１）、そのサービス関連情報をコンピュータ装置２０のＨＴＴＰＤで管理されるデータ記憶部３０３における所定アドレス（ＵＲＬ）に保存され、ユーザ端末装置１０から取得可能になっている（ステップ２）。なお、図１２中のステップ３〜９については前述の図８のステップ４〜１０と同様であるので、説明を省略する。前述の図６の画面において、利用者１が「お店の情報はこちら」１７ａを選択すると（ステップ１０）、ユーザ端末装置１０は、上記ＪａｖａＳｃｒｉｐｔファイルのアンカータグに記述されているコンピュータ装置２０の所定ＵＲＬにアクセスし、前述の図７に示すような飲食店のローカルエリア関連情報、例えば、明日の定食のメニュー画像及び割引情報等の店舗の広告情報を取得し、表示部１７に表示する（ステップ１１〜１３）。この構成によれば、小型基地局３０が店舗のサービス関連情報を記憶して保存しておかなくてもよいので、小型基地局３０のメモリ容量が少なくてすみ、コストダウンや小型化が可能となる。また、外部のＷＥＢサーバにアクセスすることなく店舗のサービス関連情報を速やかに取得することができる。
【００５０】
以上、本実施形態によれば、利用者１が店舗に入ってユーザ端末装置１０を操作して所定のＷＥＢサイトにアクセスすると、ポータルサイトのＷＥＢページに現在入った店舗のサービス関連情報にアクセスするリンク情報が付加され、ユーザ端末装置１０の表示部１７に表示される。このように利用者１は、キーワード等の入力を行うことなく、容易に店舗のサービス関連情報を取得しユーザ端末装置１０の表示部１７に表示させることができる。
【００５１】
なお、上記各実施形態では、利用者が飲食店等の店舗に入ったときにその店舗のサービス関連情報を提供する場合について説明したが、本発明は、歯医者等の医療施設に利用者が入ってＷＥＢアクセスしたときに、歯列矯正の情報等のローカルエリア関連情報をユーザ端末装置１０に表示したり、パチンコ店等の遊技施設に利用者が入ってＷＥＢアクセスしたときにその遊技施設のキャンペーン情報等のローカルエリア関連情報をユーザ端末装置１０に表示したりする場合にも適用できる。また、本発明は、利用者が駅の構内施設に入ってＷＥＢアクセスしたときに列車の発車時刻や遅れ等のローカルエリア関連情報をユーザ端末装置１０に表示する場合にも適用できる。更に、本発明は、利用者が家庭（自宅建物）やオフィスに入ってＷＥＢアクセスしたときに入ったときに家庭やオフィス内のセキュリティ情報等のローカルエリア関連情報をユーザ端末装置１０に表示するなど、他の様々な用途に適用することができる。
【００５２】
また、上記実施形態では、小型基地局３０が、無線通信機能部と、通信回線接続機能部と、ＷＥＢ通信機能部と、プラットフォーム機能部との機能を備えた構成について説明したが、小型基地局３０とは別に、ユーザ端末装置１０と有線の公衆通信回線とを中継する光回線接続装置やＡＤＳＬモデム装置等の通信回線接続装置を設け、この通信回線接続装置が小型基地局３０の機能の一部を有するように構成してもよい。
例えば、図１３に示すように、小型基地局３０が前述の無線通信機能部とＷＥＢ通信機能部とを有し、別途設けた光回線接続装置やＡＤＳＬモデム装置等の通信回線接続装置３１が前述の通信回線接続処理部とＷＥＢ通信機能部とプラットフォーム機能部とを有するように構成したもよい。
また、図１４に示すように、小型基地局３０が前述の無線通信機能部とＷＥＢ通信機能部とプラットフォーム機能部とを有し、別途設けた光回線接続装置やＡＤＳＬモデム装置等の通信回線接続装置３１が通信回線接続機能部を有するように構成してもよい。
このように、小型基地局３０とは別に通信回線接続装置３１を設けて小型基地局３０の機能の一部を分離することにより、小型基地局３０のサイズをより小さくすることができ、設置の自由度が向上するとともに、店舗内のデザインや雰囲気を損なうことなく設置することが可能となる。
また、小型基地局３０とは別に、ＬＡＮ（Local Area Network）の無線アクセスポイントとして使用されＬＡＮの通信を中継する無線ＬＡＮ中継装置を設け、この無線ＬＡＮ中継装置が小型基地局３０の機能の一部を有するように構成してもよい。
【図面の簡単な説明】
【００５３】
【図１】本発明の一実施形態に係る情報通信端末を用いた情報アクセスの概要を示す説明図。
【図２】同実施形態における情報提供システムの一構成例を示すブロック図。
【図３】小型基地局の機能ブロック図。
【図４】ユーザ端末装置の一構成例を示す外観図。
【図５】ユーザ端末装置のハードウェア構成の一例を示す概略構成図。
【図６】ユーザ端末装置に表示されたリンク情報の一例を示す説明図。
【図７】ユーザ端末装置に表示された店舗のサービス関連情報の一例を示す説明図。
【図８】店舗に関連したサービス関連情報にアクセスするためのリンク情報の提供と小型基地局からのサービス関連情報の提供の手順の一例を示すシーケンス図。
【図９】（ａ）及び（ｂ）は、店舗のサービス関連情報にアクセスするためのリンク情報と店舗のロゴとが挿入されたポータルサイトのＷＥＢページをユーザ端末装置に表示するためのＨＴＭＬファイル及びＪａｖａＳｃｒｉｐｔファイル一例を示す説明図。
【図１０】他の実施形態に係る店舗のサービス関連情報の提供の手順の一例を示すシーケンス図。
【図１１】更に他の実施形態に係る店舗のサービス関連情報の提供の処理手順の一例を示すシーケンス図。
【図１２】更に他の実施形態に係る店舗のサービス関連情報の提供の処理手順の一例を示すシーケンス図。
【図１３】他の実施形態に係る小型基地局及び通信回線接続装置の機能ブロック図。
【図１４】更に他の実施形態に係る小型基地局及び通信回線接続装置の機能ブロック図。
【符号の説明】
【００５４】
１    利用者
２    店舗のスタッフ
１０  ユーザ端末装置
１７  表示部
２０  コンピュータ装置
３０  小型基地局
３１  通信回線接続装置
５０  ＷＥＢサーバ
６０  ＷＥＢサーバ（ポータルサイト）
７０  移動体通信ネットワーク
７１  インターネット
９２０  店舗のサービス提供エリア
９３０  無線通信可能エリア
【図２】
2010136140.tif 000003
【図３】
2010136140.tif 000004
【図４】
2010136140.tif 000005
【図５】
2010136140.tif 000006
【図６】
2010136140.tif 000007
【図８】
2010136140.tif 000008
【図９】
2010136140.tif 000009
【図１０】
2010136140.tif 000010
【図１１】
2010136140.tif 000011
【図１２】
2010136140.tif 000012
【図１３】
2010136140.tif 000013
【図１４】
2010136140.tif 000014
【図１】
2010136140.tif 000015
【図７】
2010136140.tif 000016